(57)【特許請求の範囲】
【請求項１】
プリント基板上に発光素子を配列して表示領域を構成し、文字、図形、模様等を発光表示する表示装置において、
マトリクス状に配列した発光素子を選択的に点灯し情報内容を発光表示する情報表示部と、
該情報表示部を構成する発光素子を発光駆動する情報表示駆動部と、
前記情報表示部を構成する発光素子と異なる発光色で、かつ、前記情報表示部より低い配列密度の発光素子で構成され所定の背景模様を発光表示する背景表示部と、
該背景表示部を構成する発光素子を発光駆動する背景表示駆動部とを備え、
前記情報表示部と前記背景表示部とがそれぞれ重なり合った表示領域を構成するよう同一プリント基板上に発光素子を配列し、情報表示部と、情報表示部より少ない数の発光素子からなる背景表示部とを同期して発光駆動することで混色表示を行うことを特徴とする表示装置。
【発明の詳細な説明】
【０００１】
【産業上の利用分野】
本発明は、複数の発光素子をプリント基板上に配置し、各発光素子を発光させることで所定の文字、図形、模様等を表示する表示装置に関する。
【０００２】
【従来の技術】
従来よりＬＥＤ等の発光素子をドットマトリクス状に配列したり、あるいは文字・図形・模様の輪郭に沿って配置し、発光・点滅することで伝達情報を発光表示する装置が提案されている。中でも主に店舗先に設置され、通行人に向けて「営業中」「いらっしゃいませ」といったメッセージや簡単なアニメーションを表示する小型の表示装置が近年増加しつつある。これらの表示装置に求められるのは、安価であることと、高い注目度を備えていることであり、特に設置台数の増加と共にますます「高い注目度」が要求される傾向にある。そこで、実用新案登録第３０４３８２４号公報に開示されているように、発光ダイオードによるドットマトリクス型表示部の周囲に専ら装飾発光を行う装飾表示部を設けた装置が提案されてきている。
【０００３】
しかしこれら従来の装置は、表示部を構成するＬＥＤの発光色が単色であるか、多いものでも３色（赤色・緑色・オレンジ色）であったため、同じ様なイメージから脱却することができなかった。発光色に青色を追加すればフルカラー表示が可能になるのであるが、高価な青色ＬＥＤを赤・緑色ＬＥＤと同じように用いることはコスト面の制約から現実的に不可能なのである。中には表示部の周囲にスポット的に青色ＬＥＤを配してイメージチェンジを図るものもあったが、全体面積に対してその大部分を単色あるいは３色が占めることに変わりなく、やはり全体として没個性を逃れることができずにいた。
【０００４】
【発明が解決しようとする課題】
したがって、本発明の課題は、集客目的に店舗先等に設置されて「営業中」「いらっしゃいませ」等のメッセージや簡単なアニメーションを発光表示する装置において、表示部を構成するＬＥＤとして高価な青色ＬＥＤを使用しつつも、赤・緑色ＬＥＤと同じように用いることなくその使用数を少ない数に抑え、安価で、多色表示が可能な高い注目度を備えた表示装置を実現できないかという点にある。
【０００５】
【課題を解決するための手段】
（１）上記のような問題を解決するために本発明では、プリント基板上に発光素子を配列して表示領域を構成し、文字、図形、模様等を発光表示する表示装置において、マトリクス状に配列した発光素子を選択的に点灯し情報内容を発光表示する情報表示部と、該情報表示部を構成する発光素子を発光駆動する情報表示駆動部と、前記情報表示部を構成する発光素子と異なる発光色で、かつ、前記情報表示部より低い配列密度の発光素子で構成され所定の背景模様を発光表示する背景表示部と、該背景表示部を構成する発光素子を発光駆動する背景表示駆動部とを備え、前記情報表示部と前記背景表示部とがそれぞれ重なり合った表示領域を構成するよう同一プリント基板上に発光素子を配列し、情報表示部と、情報表示部より少ない数の発光素子からなる背景表示部とを同期して発光駆動することで混色表示を行うことを特徴とする表示装置を提案する。
【０００６】
（２）また、上記提案の表示装置において、情報表示部を構成する発光素子の発光色と背景表示部を構成する発光素子の発光色とが異なることを特徴とする表示装置を提案する。
【０００７】
（３）また、上記提案の表示装置において、情報表示部で点灯する発光素子の近傍に位置する背景表示部の発光素子を点灯することを特徴とする表示装置を提案する。
【０００８】
（４）また、上記提案の表示装置において、情報表示部で点灯する発光素子の近傍に位置する背景表示部の発光素子を消灯することを特徴とする表示装置を提案する。
【０００９】
（５）また、上記提案の表示装置において、情報表示部と背景表示部とを異なる発光色で同期して発光駆動し、混色表示することを特徴とする表示装置を提案する。
【００１０】
（６）また、上記提案の表示装置において、情報表示部と背景表示部とを異なる発光色でそれぞれ独立して発光駆動することを特徴とする表示装置を提案する。
【００１１】
【作用】
（１）の提案によれば、発光素子をマトリクス状に配列して文字や図形で構成される情報内容を発光表示する情報表示部と、この情報表示部の発光素子と異なる発光色で、かつ情報表示部より粗い間隔で発光素子を配列した背景表示部とを、同じ基板上にそれぞれ重ね合わせて表示領域を構成する。したがって、発光表示する文字や図形パターンに背景模様をオーバーラップさせて面全体で装飾を行うことができる。また、情報表示部と、情報表示部より少ない数の発光素子からなる背景表示部とを同期して発光駆動する。したがって、伝達情報たる文字や図形パターンを背景の発光色と混ぜ合わせて多色発光させることができ、背景表示部に使用する発光素子の数を抑えながら、高い注目度を備えた多色表示可能な表示装置を安価に実現することができる。
【００１２】
（２）の提案によれば、情報表示部と背景表示部とをそれぞれ異なる色で発光駆動するので、情報表示部に現出する文字や図形パターンが一段と目立って視認できる。
【００１３】
（３）の提案によれば、情報表示部において点灯している発光素子の近くに位置する背景表示部の発光素子を点灯するので、情報表示部に現出する文字や図形パターンを強調表示することができる。
【００１４】
（４）の提案によれば、情報表示部と背景表示部とを同時に発光駆動する際に、情報表示部で点灯している発光素子の近くに位置する背景表示部の発光素子を消灯するので、文字や図形パターンが背景パターンに溶け込む現象を防ぐことができる。
【００１５】
（５）の提案によれば、情報表示部と背景表示部とをそれぞれ異なる発光色で同期して発光駆動するので、伝達情報たる文字や図形パターンを背景の発光色と混ぜ合わせて多色発光させることができる。例えば、文字や図形パターンを赤色、背景を青色で発光駆動すれば、混色の結果文字や図形パターンを紫色で視認させることができる。
【００１６】
（６）の提案によれば、情報表示部と背景表示部とがそれぞれ同期することなく異なる発光色で発光駆動するので、伝達情報たる文字や図形パターンがランダムに背景の発光色と混ざり合って視認される。その結果、高い注目度を得ることができる。
【００１７】
【実施例】
以下、図面を基にして本発明の実施例について説明する。図１は本発明実施例に関わる表示装置の全体構成を示す説明図である。１は複数のＬＥＤをプリント基板上に配列して構成する表示板で、メッセージやアニメーションといった伝達情報を表示する情報表示部２と、伝達情報の背景を表示する背景表示部３とから成る。４は情報表示部２を構成するＬＥＤを点滅駆動する情報表示駆動部、５は背景表示部３を構成するＬＥＤを点滅駆動する背景表示駆動部である。６は制御部で、予め記憶されたスケジュールにしたがって記憶部７に記憶する文字・単語・文章・絵記号・模様等を読み出し、情報表示駆動部４および背景表示駆動部５にＬＥＤの点灯／消灯を与える点滅駆動信号を出力し、表示部１に配列されるＬＥＤを点滅駆動して、例えば文字を点滅させたり文字の点滅に意匠的な関連性をもたせて背景の模様を点滅するなどして観者の注意を引きつける。
【００１８】
次に、情報表示部と背景表示部について説明する。情報表示部は図２に示すように、プリント基板１０の表面にＬＥＤ１１をマトリクス状に配列して構成するもので、本実施例では縦・横方向にそれぞれ１６個配列し、合計２５６個のＬＥＤ１１を選択的に点灯することで文字・単語・文章・絵記号・模様等を発光表示する。一方の背景表示部も、情報表示部と同じくプリント基板１０にＬＥＤ１２を配列して構成するのであるが、情報表示部とは異なる発光色のＬＥＤ１２を、図３に示すように、情報表示部より粗い密度で千鳥格子状に合計６０個配列している。そしてこれら２つの表示部は、図４に示すように同じプリント基板上に重ね合わせて同一の表示領域を構成し、情報表示駆動部４および背景表示駆動部５によりそれぞれ独立して点滅駆動される。このように構成されることで、情報表示部を構成する２５６個のＬＥＤ１１をマトリクス配列した中に、背景表示部を構成する６０個のＬＥＤ１２が低い配列密度でまばらに略均一に配列されることになり、高価な青色ＬＥＤの使用数を少なく抑えながら多色表示を行うことができる。例えば文字を赤色で点灯表示しながら背景を青色で点灯すれば、赤色と青色が混色されて文字が紫色として認識され、また、文字を黄色で点灯表示しながら背景を青色で点灯すれば、文字は白色として認識されるのである。
【００１９】
次に図５を基にして情報表示駆動部４と背景表示駆動部５の構成について説明する。４ａは情報表示用ＶＲＡＭで、制御部６によって記憶部７から読み出された文字・単語・文章・絵記号・模様等のデータを表示用の形に展開する。４ｂは情報表示用ドライバコントローラで、情報表示用ＶＲＡＭ４ａに展開する表示データに応じ、ドットマトリクス配列する情報表示部２のＬＥＤを実際に点灯駆動し表示パターンとして発光表示する。５ａは背景表示用ＶＲＡＭで、制御部６によって記憶部７から読み出された背景模様等のデータを表示用の形に展開する。５ｂは情報表示用ドライバコントローラで、背景表示用ＶＲＡＭ５ａに展開する表示データに応じ、背景表示部３に配列するＬＥＤを実際に点灯駆動し背景パターンを発光表示する。
【００２０】
次に本発明実施例の動作を説明する。図６は情報表示部に「Ａ」を表示し、背景表示部のＬＥＤを全点灯させた状態を示している。この状態を現出する処理の流れは、情報表示用ＶＲＡＭに「Ａ」の文字パターンを展開するのと併行して、背景表示用ＶＲＡＭに塗りつぶしパターンを展開すれば良い。なお、図示しないが、背景表示部は塗りつぶしパターンだけではなく、縞模様など任意のパターンを表示させることも可能である。要は記憶部７に予め記憶させた色々な模様パターンの中から任意に読み出して表示すれば良い。
【００２１】
図７は情報表示部に「Ａ」を表示し、背景表示部は「Ａ」と重なるドットおよび重なりはしないが近傍に位置するドットに該当するＬＥＤを点灯させた状態を示している。この状態を現出する処理の流れは、情報表示用ＶＲＡＭに「Ａ」の文字パターンを展開するのと併行して、背景表示用ＶＲＡＭには文字「Ａ」の輪郭線を所定ドット数分だけ太線化して展開すれば良い。
【００２２】
図８は情報表示部に「Ａ」を表示し、背景表示部は「Ａ」と重ならない位置のＬＥＤを点灯させた状態を示している。この状態を現出する処理の流れは、情報表示用ＶＲＡＭに「Ａ」の文字パターンを展開するのと併行して、背景表示用ＶＲＡＭに「Ａ」の反転ドットパターンを展開すれば良い。
【００２３】
なお、情報表示部と背景表示部の点灯動作は任意に設定可能である。例えば、情報表示部に「Ａ」を点灯表示するのと完全に連動して背景表示部を点灯させたり、「Ａ」が点灯表示されている間、背景表示部を点滅させるなどして、情報表示部の発光動作と背景表示部の発光動作に関連性を持たせても良い（同期表示）。また、情報表示部と背景表示部との間に関連性を与えず、背景表示部を全くランダムに装飾的に発光させても良い（非同期表示）。
【００２４】
本発明は以上のように構成されるものであるが、上記実施例に限定されるものではない。例えば、情報表示部の発光色と背景表示部の発光色との組み合わせは他にも緑色と青色、橙色と青色などでも良いし、背景表示部も青色発光に限定されるものではない。また、ドライバコントローラ４ｂ、５ｂでＬＥＤのオン／オフ比を変えて発光輝度制御すれば、混色の結果得られる色の幅が広がり、更なる多色表示が可能となる。
【００２５】
【発明の効果】
以上のように本発明によれば、ＬＥＤを配列して観者に伝える情報内容を発光表示する情報表示部と、情報表示部のＬＥＤと異なる発光色で、かつ情報表示部より粗い間隔でＬＥＤを配列した背景表示部とを同じプリント基板上に重ね合わせて共通の表示領域を構成したので、観者に向かって発光表示する文字・文章・図形等のパターンに背景模様をオーバーラップさせて面全体で装飾発光させることができ、注目度を格段に向上させることができる。また、情報表示部と、情報表示部より少ない数のＬＥＤからなる背景表示部とを同期して発光駆動することにより、伝達情報たる文字や図形パターンを背景の発光色と混ぜ合わせて多色発光させることができ、背景表示部に配列するＬＥＤの使用数を抑えながら、多色表示可能な表示装置を安価に実現することができる。具体的には、背景表示部に青色ＬＥＤを配列することによって多色表示を行い、高価な青色ＬＥＤの使用数を少なく抑えることで製品コストを下げることができる。
【００２６】
また、情報表示部と背景表示部とをそれぞれ異なる色で発光駆動するので、表示面全体を装飾発光しながらも、情報表示部で発光表示する内容をはっきりと確実に伝達することができる。
【００２７】
また、情報表示部で発光表示するパターンと重なる位置、およびその近くに位置する背景表示部のＬＥＤを点灯するので、情報表示部の発光表示パターンを強調することができる。
【００２８】
また、情報表示部と背景表示部とを同時に発光駆動する際に、情報表示部で点灯しているＬＥＤの近くに位置する背景表示部のＬＥＤを消灯するので、文字や図形パターンが背景パターンに溶け込む現象を防ぎ、はっきり認識させることができる。
【００２９】
また、情報表示部と背景表示部とをそれぞれ異なる発光色で同期して発光駆動するので、伝達情報たる文字や図形パターンを背景の発光色と混ぜ合わせて多色発光させることができる。特に、高価な青色ＬＥＤを多用することなく低コストで多色発光を実現することができる。
【００３０】
また、情報表示部と背景表示部とを同期させることなく異なる発光色で発光駆動するので、伝達情報たる文字や図形パターンをランダムに背景の発光色と混色して表示することができる。したがって観者にとっては予測できない色変化が視認されることとなり、格段の注目度を得ることができる。
【図面の簡単な説明】
【図１】本発明実施例に関わる表示装置の全体構成を示す説明図である。
【図２】情報表示部の構成を示す説明図である。
【図３】背景表示部の構成を示す説明図である。
【図４】表示板の構成を示す説明図である。
【図５】情報表示駆動部と背景表示駆動部の構成を示す説明図である。
【図６】本発明実施例の動作を示す説明図である。
【図７】本発明実施例の動作を示す説明図である。
【図８】本発明実施例の動作を示す説明図である。
【符号の説明】
１  表示板
２  情報表示部
３  背景表示部
４  情報表示駆動部
４ａ  情報表示用ＶＲＡＭ
４ｂ  情報表示用ドライバコントローラ
５  背景表示駆動部
５ａ  背景表示用ＶＲＡＭ
５ｂ  情報表示用ドライバコントローラ
６  制御部
７  記憶部
１０  プリント基板
１１  情報表示部ＬＥＤ
１２  背景表示部ＬＥＤ
【図１】
0003574946.tif 000002
【図２】
0003574946.tif 000003
【図３】
0003574946.tif 000004
【図４】
0003574946.tif 000005
【図５】
0003574946.tif 000006
【図６】
0003574946.tif 000007
【図７】
0003574946.tif 000008
【図８】
0003574946.tif 000009